(57)【要約】      （修正有）【課題】筆記者にとって書きやすい罫線の傾きを直感的に設定可能とし、かつ、見た目に好ましく、また、書いた内容を読む場合にも読みやすくすることができる筆記用紙を提供する。【解決手段】見開きの状態としたときに左ページ側の左ページ側用紙１１Ｌ及び右ページ側の右ページ側用紙１１Ｒにはそれぞれ筆記領域１４Ｌ，１４Ｒが形成され、かつ、左ページ側用紙１１Ｌの筆記領域１４Ｌ及び右ページ側用紙１１Ｒの筆記領域１４Ｒのうちの少なくとも一方の側の筆記領域には、直線で形成された横書き用の罫線を有する筆記用紙１０とする。さらに、左ページ側用紙１１Ｌ及び右ページ側用紙１１Ｒのうちの少なくとも罫線を有する筆記領域が形成されているページには、当該罫線に直交する方向に沿って筆記用紙１０の下方側を指し示すガイドマーク６１Ｌ，６２Ｌ，６１Ｒ，６２Ｒを描画する。【選択図】図１
0003172335.tif 000002
【実用新案登録請求の範囲】
【請求項１】
見開きの状態としたときに左ページ側の左ページ側用紙及び右ページ側の右ページ側用紙にはそれぞれ筆記領域が形成され、かつ、前記左ページ側用紙の筆記領域及び右ページ側用紙の筆記領域のうちの少なくとも一方の側の筆記領域には、直線で形成された横書き用の罫線を有する筆記用紙であって、
前記罫線に直交する方向に沿って前記筆記用紙の下方側を指し示すガイドマークが描画されていることを特徴とする筆記用紙。
【請求項２】
請求項１に記載の筆記用紙において、
前記ガイドマークは、前記筆記領域の上端よりも外側に存在する欄外又は前記筆記領域の下端よりも外側に存在する欄外の少なくとも一方の欄外における左右方向の中央部又はほぼ中央部に描画されていることを特徴とする筆記用紙。
【請求項３】
請求項１又は２に記載の筆記用紙において、
前記ガイドマークは、前記筆記領域の上端よりも外側に存在する欄外又は前記筆記領域の下端よりも外側に存在する欄外の少なくとも一方の欄外における左右両側の隅部に描画されていることを特徴とする筆記用紙。
【請求項４】
請求項１〜３のいずれかに記載の筆記用紙において、
前記ガイドマークは、矢印であることを特徴とする筆記用紙。
【請求項５】
請求項１〜４のいずれかに記載の筆記用紙において、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、前記左側の筆記領域及び右側の筆記領域のうちの前記左側の筆記領域に設けられ、当該左側の筆記領域において前記ページ境界線から斜め左下がり方向に設けられていることを特徴とする筆記用紙。
【請求項６】
請求項１〜４のいずれかに記載の筆記用紙において、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、前記左側の筆記領域及び右側の筆記領域のうちの前記右側の筆記領域に設けられ、当該右側の筆記領域において前記ページ境界線から斜め右下がり方向に設けられていることを特徴とする筆記用紙。
【請求項７】
請求項１〜４のいずれかに記載の筆記用紙において、
前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、
前記右ページ側用紙は、当該右ページ側用紙の上端辺と下端辺とが平行で前記上端辺の長さが前記下端辺よりも長く形成され、かつ、前記ページ境界線から斜め右下がり方向に形成され、
前記罫線は、前記左側の筆記領域及び右側の筆記領域それぞれに設けられ、前記左側の筆記領域においては前記ページ境界線から斜め左下がり方向に設けられ、前記右側の筆記領域においては前記ページ境界線から斜め右下がり方向に設けられていることを特徴とする筆記用紙。
【請求項８】
請求項５〜７のいずれかに記載の筆記用紙において、
前記左ページ側用紙においては、前記ページ境界線とは反対側の左側横端辺と当該左ページ側用紙の前記上端辺及び前記下端辺とのなす角度がそれぞれ９０度に設定され、
前記右ページ側用紙においては、前記ページ境界線とは反対側の右側横端辺と当該右ページ側用紙の前記上端辺及び前記下端辺とのなす角度がそれぞれ９０度に設定されていることを特徴とする筆記用紙。
【請求項９】
請求項５〜８のいずれかに記載の筆記用紙において、
前記罫線は、前記左ページ側用紙の上端辺又は前記右ページ側用紙の上端辺に平行に設けられていることを特徴とする筆記用紙。
【請求項１０】
請求項１〜４のいずれかに記載の筆記用紙において、
前記左ページ側用紙及び右ページ側用紙はそれぞれ矩形をなし、
前記罫線は、前記左側の筆記領域及び右側の筆記領域のうちの前記左側の筆記領域に設けられ、当該左側の筆記領域において前記左ページ側用紙と右ページ側用紙との境界線となるページ境界線から斜め左下がり方向に設けられていることを特徴とする筆記用紙。
【請求項１１】
請求項１〜４のいずれかに記載の筆記用紙において、
前記左ページ側用紙及び右ページ側用紙はそれぞれ矩形をなし、
前記罫線は、前記左側の筆記領域及び右側の筆記領域のうちの前記右側の筆記領域に設けられ、当該右側の筆記領域において前記左ページ側用紙と右ページ側用紙との境界線となるページ境界線から斜め右下がり方向に設けられていることを特徴とする筆記用紙。
【請求項１２】
請求項１〜４のいずれかに記載の筆記用紙において、
前記左ページ側用紙及び右ページ側用紙はそれぞれ矩形をなし、
前記罫線は、前記左側の筆記領域及び右側の筆記領域それぞれに設けられ、前記左側の筆記領域においては前記左ページ側用紙と右ページ側用紙との境界線となるページ境界線から斜め左下がり方向に設けられ、前記右側の筆記領域においては前記ページ境界線から斜め右下がり方向に設けられていることを特徴とする筆記用紙。
【請求項１３】
請求項５〜１２のいずれかに記載の筆記用紙において、
前記罫線は、当該罫線と前記ページ境界線とのなす角度のうちの鋭角側の角度が６５度〜８８度の範囲に設定されていることを特徴とする筆記用紙。
【請求項１４】
請求項１〜４のいずれかに記載の筆記用紙において、
前記左ページ側用紙及び右ページ側用紙はそれぞれ矩形をなし、
前記罫線は、前記左ページ側用紙と右ページ側用紙との境界線となるページ境界線に直交する方向に設けられていることを特徴とする筆記用紙。
【請求項１５】
請求項１〜１４のいずれかに記載の筆記用紙において、
前記筆記用紙は、ノートであることを特徴とする筆記用紙。
【請求項１６】
請求項１〜１４のいずれかに記載の筆記用紙において、
前記筆記用紙は、医療機関で用いられるカルテであることを特徴とする筆記用紙。
【考案の詳細な説明】
【技術分野】
【０００１】
本考案は、筆記用紙に関し、特に横書き用の罫線を有する筆記用紙に関する。
【背景技術】
【０００２】
横書き用の罫線（横罫線という。）を有する筆記用紙に横書きで文字を書く場合に、筆記者（右利きとする。）の多くは、筆記用紙の上端右側角部（右肩という。）を少し上げた状態、すなわち、横罫線が斜め右上がりの状態となるようにして筆記するのが一般的である。なお、この明細書において、筆記用紙というのは、一般的なノート、スパイラルノート、バインダーで綴じられたノート（バインダー付きノート）及び医療機関で用いられるカルテなどのように、見開きの状態で使用可能なもの全体を指している。
【０００３】
図１８は、筆記用紙と筆記者との関係を説明するために示す図である。図１８に示すように、筆記用紙（一般的なノートとする。）１を見開きの状態として、図１８における実線で示すように筆記者２の正面に正しく置いて、筆記者２が横罫線３に沿って文字を書こうとする場合、筆記者２の多くは、机４の天板上でノート１の右肩を少し上げた状態、すなわち、ノート１を図示の破線で示すように反時計方向に少し回転させた状態となるようにして筆記するのが一般的である。
【０００４】
これは、人間の体の構造によるものである。すなわち、右利きの人が横罫線に沿って文字を書こうとするときは、肘を中心として肘から筆記具の先端までを半径とする円弧５を描くように筆記して行くことが筆記者２にとって自然な筆の運びとなるためである。なお、図１８における実線で示すようにノート１を筆記者２の正面に正しく置いた状態を、ここでは、「ノートを筆記者に対して正対した状態・・・」というように表現する。
【０００５】
ノート１を筆記者２に対して正対した状態として、横罫線３に沿って左側から右側に向かって文字を書こうとすると、横罫線３に沿って右方向に書き進むに連れて肘を後方にずらさざるを得なくなり、肘だけでなく肩にも負担がかかり、肩こりなどを引き起こす原因ともなる。これは、ノート１を見開きの状態として左側のページに文字を書こうとするときに、特に顕著なものとなる。
【０００６】
このような課題を解決しようして工夫されたノートは従来から提案されている（例えば特許文献１参照。）。
【０００７】
図１９は、特許文献１に記載されたノートを説明するために示す図である。特許文献１に記載されたノートは、図１９に示すように、ノート１の左ページ側の左ページ側用紙６Ｌに設けられている横罫線３Ｌ及び右ページ側の右ページ側用紙６Ｒに設けられている横罫線３Ｒをそれぞれ斜め右上がりの円弧状としたものである。
【先行技術文献】
【特許文献】
【０００８】
【特許文献１】実開昭５３−７０９２８号公報
【考案の概要】
【考案が解決しようとする課題】
【０００９】
横罫線３Ｌ，３Ｒを図１９に示すように斜め右上がりの円弧状とすることにより、肘を中心として肘から筆記具の先端までを半径とする円弧を描くように筆記して行くことができるため、肘や肩にかかる負担を少なくすることができ、長時間の筆記を行う場合にも疲労を少なくすることができる。
【００１０】
しかしながら、罫線を単に斜め右上がり（右利きの筆記者の場合）の円弧状としただけでは、書きやすさという点において、さらなる課題が残る。すなわち、特許文献１に記載されたノート１を筆記者に対して正対した状態とした場合、確かに、罫線は斜め右上がり（右利きの筆記者の場合）の円弧状となるが、当該筆記者にとっては、罫線の傾き角度が最適な角度となっているとは限らず、筆記者は罫線の角度が最適な角度となるように無意識のうちにノートを机上で傾けて筆記を行っているのが実情である。これは、罫線の傾きを示す指標となるものが当該ノートに存在しないためであり、筆記者は漠然とノートを傾むかせているのである。
【００１１】
また、特許文献１に記載されたノート１は、横罫線３Ｌ，３Ｒが円弧状となっているため、直線の罫線を見慣れたユーザーにとってはノートとして違和感がある。例えば、１ページ分を文字で埋め尽くした場合などにおいては、文字が当該ページ全体において円弧を描いた状態となっているため、ノートとして、見た目に好ましいものでなく、また、書いた内容を読む場合にも読みやすいとは言えない。
【００１２】
そこで本考案は、筆記者にとって書きやすい罫線の傾きを直感的に設定可能とし、かつ、見た目に好ましく、また、書いた内容を読む場合にも読みやすくすることができる筆記用紙を提供することを目的とする。
【課題を解決するための手段】
【００１３】
［１］本考案の筆記用紙は、見開きの状態としたときに左ページ側の左ページ側用紙及び右ページ側の右ページ側用紙にはそれぞれ筆記領域が形成され、かつ、前記左ページ側用紙の筆記領域及び右ページ側用紙の筆記領域のうちの少なくとも一方の側の筆記領域には、直線で形成された横書き用の罫線を有する筆記用紙であって、前記左ページ側用紙及び右ページ側用紙のうちの少なくとも前記罫線を有する筆記領域が形成されているページには、当該罫線に直交する方向に沿って前記筆記用紙の下方側を指し示すガイドマークが描画されていることを特徴とする。
【００１４】
本考案の筆記用紙は、罫線に直交する方向に沿って筆記用紙の下方側を指し示すガイドマークが描画されている。このようなガイドマークが描画されていることにより、筆記者は、当該ガイドマークによって筆記用紙をどのように置いて筆記すればよいかを直感的に判断することができる。例えば、右利きの筆記者が本考案の筆記用紙に筆記する場合、ガイドマークが自身の右肩に向くように筆記用紙を机上に置くことにより、当該筆記者にとって罫線の傾きが筆記しやすい傾きとなる。このように、本考案の筆記用紙によれば、筆記者にとって書きやすい罫線の傾きを直感的に設定可能とすることができる。また、本考案の筆記用紙は、罫線が直線で形成されているため、見た目に好ましく、また、書いた内容を読む場合にも読みやすくすることができる。
【００１５】
［２］本考案の筆記用紙においては、前記ガイドマークは、前記筆記領域の上端よりも外側に存在する欄外又は前記筆記領域の下端よりも外側に存在する欄外の少なくとも一方の欄外における左右方向の中央部又はほぼ中央部に描画されていることが好ましい。
【００１６】
このように、ガイドマークは筆記領域の外側に存在する欄外に描画されていることにより、筆記の邪魔になることがない。また、筆記領域の外側に存在する欄外の左右方向の中央部又ほぼ中央部にガイドマークが描画されていることにより、ガイドマークが筆記者の右肩又は左肩に向くようにする操作を単純なものとすることができる。
【００１７】
［３］本考案の筆記用紙においては、前記ガイドマークは、前記筆記領域の上端よりも外側に存在する欄外又は前記筆記領域の下端よりも外側に存在する欄外の少なくとも一方の欄外における左右両側の隅部に描画されていることもまた好ましい。
【００１８】
このように、ガイドマークは筆記領域の外側に存在する欄外に描画されていることにより、筆記の邪魔になることがない。また、１つの筆記領域の欄外において左右両側の隅部にガイドマークが描画されていることにより、左右両側の隅部のガイドマークのいずれかを選択的に用いることが可能となり、ガイドマークが筆記者の右肩又は左肩に向くように筆記用紙を机上に置く操作の自由度を高くすることができる。
【００１９】
［４］本考案の筆記用紙においては、前記ガイドマークは、矢印であることが好ましい。
【００２０】
ガイドマークを矢印とすることにより、単純なマークでありながら明確に方向を指し示すことができる。
【００２１】
［５］本考案の筆記用紙においては、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、前記左側の筆記領域及び右側の筆記領域のうちの前記左側の筆記領域に設けられ、当該左側の筆記領域において前記ページ境界線から斜め左下がり方向に設けられていることが好ましい。
【００２２】
このように、左ページ側用紙の筆記領域に罫線を有する場合には、当該罫線はページ境界線から斜め左下がり方向に設けられていることにより、罫線に沿って文字を筆記する際に、筆記用紙を筆記者に対して正対した状態としたままで、肘又は肩を中心として肘から筆記具の先端までを半径とする円弧を描くように筆記して行くことができる。このため、筆記者の肘や肩にかかる負担を少なくすることができ、長時間の筆記を行う場合にも疲労を少なくすることができる。左ページ側用紙の罫線がこのようにページ境界線から斜め左下がり（ページ境界線に向かって斜め右上がり）に設けられていることにより、特に右利きの筆記者にとっては、より筆記しやすいものとなり、右利きの筆記者の肘や肩にかかる負担を少なくすることができる。なお、このような筆記用紙に筆記する際には、左ページ側用紙に描画されているガイドマークのガイドに基づいて筆記用紙を机上に置けば、筆記者が意識することなく当該筆記者にとって書きやすい罫線の傾きを設定することができる。特に右利きの筆記者にとって書きやすい罫線の傾きを容易に設定することができる。
【００２３】
［６］本考案の筆記用紙においては、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、前記左側の筆記領域及び右側の筆記領域のうちの前記右側の筆記領域に設けられ、当該右側の筆記領域において前記ページ境界線から斜め右下がり方向に設けられていることも好ましい。
【００２４】
このように、右ページ側用紙の筆記領域に罫線を有する場合には、当該罫線はページ境界線から斜め右下がり方向に設けられていることにより、罫線に沿って文字を筆記する際に、筆記用紙を筆記者に対して正対した状態としたままで、肘又は肩を中心として肘から筆記具の先端までを半径とする円弧を描くように筆記して行くことができる。このため、筆記者の肘や肩にかかる負担を少なくすることができ、長時間の筆記を行う場合にも疲労を少なくすることができる。右ページ側用紙の罫線がこのようにページ境界線から斜め右下がりに設けられていることにより、特に左利きの筆記者にとっては、より筆記しやすいものとなり、左利きの筆記者の肘や肩にかかる負担を少なくすることができる。なお、このような筆記用紙に筆記する際には、右ページ側用紙に描画されているガイドマークのガイドに基づいて筆記用紙を机上に置けば、筆記者が意識することなく当該筆記者にとって書きやすい罫線の傾きを設定することができる。特に左利きの筆記者にとって書きやすい罫線の傾きを容易に設定することができる。
【００２５】
［７］本考案の筆記用紙においては、前記左ページ側用紙は、当該左ページ側用紙の上端辺と下端辺とが平行で前記上端辺の長さが前記下端辺よりも長く形成され、かつ、前記左ページ側用紙と右ページ側用紙との境界線となるページ境界線から斜め左下がり方向に形成され、前記右ページ側用紙は、当該右ページ側用紙の上端辺と下端辺とが平行で前記上端辺の長さが前記下端辺よりも長く形成され、かつ、前記ページ境界線から斜め右下がり方向に形成され、前記罫線は、前記左側の筆記領域及び右側の筆記領域それぞれに設けられ、前記左側の筆記領域においては前記ページ境界線から斜め左下がり方向に設けられ、前記右側の筆記領域においては前記ページ境界線から斜め右下がり方向に設けられていることもまた好ましい。
【００２６】
これは、見開きの状態としたときに左ページ側用紙の罫線と右ページ側用紙の罫線がページ境界線において左右対象に設けられているものであり、このような構成とすることによって、美観的にも優れた筆記用紙とすることができる。また、このような構成を有することによって、罫線に沿って文字を書く場合、筆記者が右利きであっても、また、左利きであっても筆記者の肘や肩にかかる負担を少なくすることができ、長時間の筆記を行う場合にも疲労を少なくすることができる。なお、このような筆記用紙に筆記する際には、左ページ側用紙に描画されているガイドマーク又は右ページ側用紙に描画されているガイドマークを選択的に用いて筆記用紙を机上に置けば、筆記者が意識することなく当該筆記者にとって書きやすい罫線の傾きを設定することができる。この場合、右利きの筆記者及び左利きの筆記者のいずれにとっても書きやすい罫線の傾きを容易に設定することができる。
【００２７】
［８］本考案の筆記用紙においては、前記左ページ側用紙においては、前記ページ境界線とは反対側の左側横端辺と当該左ページ側用紙の前記上端辺及び前記下端辺とのなす角度がそれぞれ９０度に設定され、前記右ページ側用紙においては、前記ページ境界線とは反対側の右側横端辺と当該右ページ側用紙の前記上端辺及び前記下端辺とのなす角度がそれぞれ９０度に設定されていることが好ましい。
【００２８】
このような構成とすることにより、当該筆記用紙を閉じた状態とした場合に存在する４つの角部のうちの２つの角部の角度、すなわち、筆記用紙のページ境界線とは反対側の左側横端辺及び右側横端辺と上端辺及び下端辺とのなす角部がそれぞれ９０度（直角）となるので、見た目に好ましい筆記用紙とすることができ、また、見開きの状態としたときも、左ページ側用紙及び右ページ側用紙それぞれにおいて、それぞれ４つの角部のうちの２つの角部、すなわち、筆記用紙のページ境界線とは反対側の左側横端辺及び右側横端辺とそれぞれの上端辺及び下端辺とのなす角部がそれぞれ９０度（直角）となるので、筆記用紙として、見た目に好ましいものとなる。また、矩形状の左側筆記領域及び右側筆記領域を広くとることができる。
【００２９】
［９］本考案の筆記用紙においては、前記罫線は、前記左ページ側用紙の上端辺又は前記右ページ側用紙の上端辺に平行に設けられていることが好ましい。
【００３０】
このように、罫線が左ページ側用紙の上端辺又は右ページ側用紙の上端辺に平行に設けられていることにより、筆記用紙として美観的に好ましいものとなる。
【００３１】
［１０］本考案の筆記用紙においては、前記左ページ側用紙及び右ページ側用紙はそれぞれ矩形をなし、前記罫線は、前記左側の筆記領域及び右側の筆記領域のうちの前記左側の筆記領域に設けられ、当該左側の筆記領域において前記左ページ側用紙と右ページ側用紙との境界線となるページ境界線から斜め左下がり方向に設けられていることが好ましい。
【００３２】
このような筆記用紙においても、左ページ側用紙に描画されているガイドマークのガイドに基づいて筆記用紙を机上に置けば、筆記者が意識することなく当該筆記者にとって書きやすい罫線の傾きを設定することができる。特に右利きの筆記者にとって書きやすい罫線の傾きを容易に設定することができる。
【００３３】
［１１］本考案の筆記用紙においては、前記左ページ側用紙及び右ページ側用紙はそれぞれ矩形をなし、前記罫線は、前記左側の筆記領域及び右側の筆記領域のうちの前記右側の筆記領域に設けられ、当該右側の筆記領域において前記左ページ側用紙と右ページ側用紙との境界線となるページ境界線から斜め右下がり方向に設けられていることもまた好ましい。
【００３４】
このような筆記用紙においても、右ページ側用紙に描画されているガイドマークのガイドに基づいて筆記用紙を机上に置けば、筆記者が意識することなく当該筆記者にとって書きやすい罫線の傾きを設定することができる。特に左利きの筆記者にとって書きやすい罫線の傾きを容易に設定することができる。
【００３５】
［１２］本考案の筆記用紙においては、前記左ページ側用紙及び右ページ側用紙はそれぞれ矩形をなし、前記罫線は、前記左側の筆記領域及び右側の筆記領域それぞれに設けられ、前記左側の筆記領域においては前記左ページ側用紙と右ページ側用紙との境界線となるページ境界線から斜め左下がり方向に設けられ、前記右側の筆記領域においては前記ページ境界線から斜め右下がり方向に設けられていることもまた好ましい。
【００３６】
このような筆記用紙においても、左ページ側用紙に描画されているガイドマーク又は右ページ側用紙に描画されているガイドマークを選択的に用いて筆記用紙を机上に置けば、筆記者が意識することなく当該筆記者にとって書きやすい罫線の傾きを設定することができる。この場合、右利きの筆記者及び左利きの筆記者のいずれにとっても書きやすい罫線の傾きが設定される。
【００３７】
［１３］本考案の筆記用紙においては、前記罫線は、当該罫線と前記ページ境界線とのなす角度のうちの鋭角側の角度が６５度〜８８度の範囲に設定されていることが好ましい。
【００３８】
罫線をこのような角度に設定することによって、自然な筆運びで筆記することができ、その結果、肘や肩にかかる負担を少なくすることができ、長時間の筆記を行う場合にも疲労を少なくすることができる。
【００３９】
［１４］本考案の筆記用紙においては、前記左ページ側用紙及び右ページ側用紙はそれぞれ矩形をなし、前記罫線は、前記左ページ側用紙と右ページ側用紙との境界線となるページ境界線に直交する方向に設けられていることが好ましい。
【００４０】
これは、一般的に用いられるノートなどの筆記用紙であって、このような筆記用紙においても、ガイドマークが描画されていることにより、当該筆記用紙に筆記する際には、ガイドマークのガイドに基づいて筆記用紙を机上に置くことにより、筆記者が意識することなく当該筆記者にとって書きやすい罫線の傾きを設定することができる。
【００４１】
［１５］本考案の筆記用紙においては、前記筆記用紙は、ノートであることが好ましい。
【００４２】
筆記用紙がノートであることにより、学生や社会人など広い範囲のユーザーが使用することができる。特に、ノートに長時間に渡って筆記を行う学生などの肘や肩にかかる負担を少なくすることができ、長時間の筆記を行う場合にも疲労を少なくすることができる。
【００４３】
［１６］本考案の筆記用紙においては、前記筆記用紙は、医療機関で用いられるカルテであることもまた好ましい。
【００４４】
筆記用紙がカルテであることにより、診察時において、楽な姿勢で所見などを書き込むことが可能となる。このため、多数の患者を次々と診察するような場合、患者ごとにカルテを作成する必要があるが、このような場合においても、肘や肩にかかる負担を少なくすることができ、疲労を少なくすることができる。
【図面の簡単な説明】
【００４５】
【図１】実施形態１に係る筆記用紙１０を説明するために示す図である。
【図２】図１に示すノート１０の破線枠Ａ１，Ａ２で囲まれている領域を拡大して示す図である。
【図３】実施形態１に係る筆記用紙１０（ノート１０）に右利きの筆記者２Ｒが筆記する場合の筆記者２Ｒとノート１０の位置関係を説明する図である。
【図４】実施形態１に係る筆記用紙１０（ノート１０）に左利きの筆記者２Ｌが筆記する場合の筆記者２Ｌとノート１０の位置関係を説明する図である。
【図５】実施形態１に係る筆記用紙１０に記載されている記載内容を読む場合を説明するための図である。
【図６】実施形態１に係る筆記用紙１０の第１変形例を説明するために示す図である。
【図７】実施形態１に係る筆記用紙１０の第２変形例を説明するために示す図である。
【図８】実施形態１に係る筆記用紙１０の第３変形例を説明するために示す図である。
【図９】実施形態２に係る筆記用紙２０を説明するために示す図である。
【図１０】実施形態３に係る筆記用紙３０を説明するために示す図である。
【図１１】実施形態３に係る筆記用紙３０に右利きの筆記者２Ｒが筆記する場合の筆記者２Ｒと筆記用紙３０の位置関係を説明するために示す図である。
【図１２】実施形態３に係る筆記用紙３０に左利きの筆記者２Ｌが筆記する場合の筆記者２Ｌと筆記用紙３０の位置関係を説明するために示す図である。
【図１３】実施形態３に係る筆記用紙３０において筆記用紙３０を左右方向にずらして筆記する場合を説明するために示す図である。
【図１４】実施形態４に係る筆記用紙４０を説明するために示す図である。
【図１５】ガイドマークとともに「Ｓｈｏｕｌｄｅｒ」を描画した場合を示す図である。
【図１６】ガイドマークの種類を説明するために示す図である。
【図１７】ガイドマークを筆記領域内に描画する場合を説明するために示す図である。
【図１８】筆記用紙と筆記者との関係を説明するために示す図である。
【図１９】特許文献１に記載されたノートを説明するために示す図である。
【考案を実施するための形態】
【００４６】
以下、本考案の実施形態について説明する。
【００４７】
［実施形態１］
図１は、実施形態１に係る筆記用紙１０を説明するために示す図である。なお、実施形態１に係る筆記用紙１０はノートであり、以下ではノート１０ともいう。また、図１（ａ）は、ノート１０を閉じた状態とした場合を示す図であり、図１（ｂ）はノート１０を見開きの状態とした場合を示す図である。図２は、図１に示すノート１０の破線枠Ａ１，Ａ２で囲まれている領域を拡大して示す図である。
【００４８】
ノート１０は、当該ノート１０を閉じた状態においては、図１（ａ）に示すように、上端辺ａの長さＬａが下端辺ｂの長さＬｂよりも長くなっており、また、左側のページ（左ページという。）と右側のページ（右ページという。）との境界となるページ境界線１３とは反対側の横端辺ｃと上端辺ａ及び下端辺ｂとのなす角度はそれぞれ９０度となっている。このため、ノート１０を閉じた状態（図１（ａ）参照。）としたときに、横端辺ｃをｘｙ直交座標上のｙ軸に一致させると、ページ境界線１３は必然的にｙ軸に対して所定角度だけ傾斜することとなる。
【００４９】
また、ノート１０を見開きの状態としたときは、図１（ｂ）に示すように、ページ境界線１３を挟んで左ページ側の用紙１１Ｌ（左ページ側用紙１１Ｌという。）及び右ページ側の用紙１１Ｒ（右ページ側用紙１１Ｒという。）が存在する。
【００５０】
そして、左ページ側用紙１１Ｌには一点鎖線枠で示すような矩形状の筆記領域１４Ｌ（左側筆記領域１４Ｌという。）が形成され、右ページ側用紙１１Ｒには同じく一点鎖線枠で示すような矩形状の筆記領域１４Ｒ（右側筆記領域１４Ｒという。）が形成される。そして、左側筆記領域１４Ｌには直線でなる横罫線１２Ｌが設けられ、右側筆記領域１４Ｒには直線でなる横罫線１２Ｒが設けられている。
【００５１】
なお、ノート１０を閉じた状態とした場合のノート１０の上端辺ａ（図１（ａ）参照。）は、ノート１０を見開きの状態（図１（ｂ）参照。）とした場合においては、左ページ側用紙１１Ｌの上端辺を左側上端辺ａ１とし、右ページ側用紙１１Ｒの上端辺を右側上端辺ａ２とする。また、ノート１０を閉じた状態とした場合のノート１０の下端辺ｂ（図１（ａ）参照。）は、ノート１０を見開きの状態（図１（ｂ）参照。）とした場合においては、左ページ側用紙１１Ｌの下端辺を左側下端辺ｂ１とし、右ページ側用紙１１Ｒの下端辺を右側下端辺ｂ２とする。
【００５２】
また、ノート１０を閉じた状態とした場合のノート１０の横端辺ｃ（図１（ａ）参照。）は、ノート１０を見開きの状態（図１（ｂ）参照。）とした場合においては、左ページ側用紙１１Ｌにおけるページ境界線１３とは反対側の横端辺を左側横端辺ｃ１とし、右ページ側用紙１１Ｒにおけるページ境界線１３とは反対側の横端辺を右側横端辺ｃ２とする。
【００５３】
ノート１０を図１（ｂ）に示すように見開きの状態としたとき、左ページ側用紙１１Ｌは、当該左ページ側用紙１１Ｌの左側上端辺ａ１と左側下端辺ｂ１とが平行で左側上端辺ａ１の長さＬａが左側下端辺ｂ１の長さＬｂよりも長く形成され、かつ、ページ境界線１３から斜め左下がり方向に形成されたものとなる。また、右ページ側用紙１１Ｒは、当該右ページ側用紙１１Ｒの右側上端辺ａ２と右側下端辺ｂ２とが平行で右側上端辺ａ２の長さＬａが右側下端辺ｂ２の長さＬｂよりも長く形成され、かつ、ページ境界線１３から斜め右下がり方向に形成されたものとなる。
【００５４】
また、横罫線１２Ｌは、左ページ側用紙１１Ｌの左側上端辺ａ１と平行に設けられており、横罫線１２Ｒも同様に、右ページ側用紙１１Ｒの右側上端辺ａ２と平行に設けられている。すなわち、横罫線１２Ｌは、ページ境界線１３から斜め左下がり方向（ページ境界線１３に向かって斜め右上がり方向）に設けられており、横罫線１２Ｒは、ページ境界線１３から斜め右下がり方向に設けられている。
【００５５】
また、横罫線１２Ｌとページ境界線１３とのなす角度（鋭角側の角度）θ１は、６５度〜８８度の範囲の角度に設定することが好ましい。また、横罫線１２Ｒと、ページ境界線１３とのなす角度（鋭角側の角度）θ２も同様に、６５度〜８８度の範囲のいずれかの角度に設定することが好ましい。
【００５６】
横罫線１２Ｌとページ境界線１３とのなす角度θ１をこのような範囲（６５度〜８８度）の角度に設定するためには、ノート１０の左側横端辺ｃ１のページ境界線１３に対する角度θ３を２５度〜２度の範囲で設定すれば、θ１は、必然的に６５度〜８８度の範囲に設定される。また、横罫線１２Ｒとページ境界線１３とのなす角度θ２をこのような範囲（６５度〜８８度）の角度に設定するためには、ノート１０の右側横端辺ｃ２のページ境界線１３に対する角度θ４を２５度〜２度の範囲で設定すれば、θ２は、必然的に６５度〜８８度の範囲に設定される。θ１及びθ２は、６５度〜８８度の範囲に設定することが好ましいが、より好ましくは、θ１及びθ２は７５度〜８６度の範囲である。ちなみに、ノート１０においては、θ１＝θ２＝８０度、すなわち、θ３＝θ４＝１０度に設定している。
【００５７】
なお、左側横端辺ｃ１のページ境界線１３に対する角度θ３は、図１においては、左側筆記領域１４Ｌにおけるページ境界線１３側の横端辺ｃ１’とページ境界線１３とのなす角度θ３として示されており、また、右側横端辺ｃ２のページ境界線に対する角度θ４も同様に、図１においては、右側筆記領域１４Ｒにおけるページ境界線１３側の横端辺ｃ２’とページ境界線１３とのなす角度θ４として示されている。
【００５８】
また、実施形態１に係る筆記用紙１０においては、左ページ側用紙１１Ｌにおける左側筆記領域１４Ｌの上端よりも外側に存在する欄外５１Ｌ（上欄外５１Ｌという。）及び下端よりも外側に存在する欄外５２Ｌ（下欄外５２Ｌという。）のそれぞれ左右方向の中央部には、横罫線１２Ｌに直交する方向に沿って（例えば、図示の一点鎖線で示す線Ｋ１に沿って）、ノート１０の下方向側を指し示すガイドマーク６１Ｌ，６２Ｌが描画されている（図２（ａ），（ｂ）に示す拡大図を参照。）。
【００５９】
同様に、右ページ側用紙１１Ｒにおける右側筆記領域１４Ｒの上端よりも外側に存在する欄外５１Ｒ（上欄外５１Ｒという。）及び下端よりも外側に存在する欄外５２Ｒ（下欄外５２Ｒという。）のそれぞれ中央部には、横罫線１２Ｒに直交する方向に沿って（例えば、図示の一点鎖線で示す線Ｋ２に沿って）、ノート１０の下方向側を指し示すガイドマーク６１Ｒ，６２Ｒが描画されている。なお、右ページ側用紙１１Ｒに描画されているガイドマーク６１Ｒ，６２Ｒについては、拡大図は示されていないが、左ページ側に描画されているガイドマーク６１Ｌ，６２Ｌと同様に描画されている。
【００６０】
実施形態１に係る筆記用紙１０及び後述する他の実施形態においては、ガイドマーク６１Ｌ，６２Ｌ及びガイドマーク６１Ｒ，６２Ｒはそれぞれ矢印であるとする。これらガイドマーク６１Ｌ，６２Ｌ及びガイドマーク６１Ｒ，６２Ｒは、筆記者に対し、机上でのノート１０の置き方をガイドするためのガイドマークとしての機能を有するものである。
【００６１】
図３は、実施形態１に係る筆記用紙１０（ノート１０）に右利きの筆記者２Ｒが筆記する場合の筆記者２Ｒとノート１０の位置関係を説明するために示す図である。右利きの筆記者２Ｒがノート１０に筆記する場合においては、筆記者２に対してノート１０を図３に示すように置くと、当該筆記者２Ｒにとって書きやすいものとなる。
【００６２】
すなわち、図３に示すように、右利きの筆記者２Ｒが机４の前に座った状態で正面を向いたときの筆記者２Ｒの視線方向をｙ軸に沿った方向としたとき、ノート１０の右ページ側用紙１１Ｒの上端辺ａ２が視線方向に直交する方向（ｘ軸に沿った方向）に置くことが筆記者にとって書きやすい位置となる。なお、この場合、図３に示すように、ノート１０をｘ軸に沿って適宜右方向に移動させた位置に置くことが好ましい。
【００６３】
ノート１０を机４の天板上（机上という）において図３に示すように置くことにより、右利きの筆記者２Ｒは、自然な手の動きで左ページ側用紙１１Ｌの横罫線１２Ｌに沿って筆記して行くことができる。
【００６４】
ノート１０を机上において図３に示すように置くには、左ページ側用紙１１Ｌに描画されているガイドマーク６１Ｌ，６２Ｌ及び右ページ側用紙１１Ｒに描画されているガイドマーク６１Ｒ，６２Ｒのうち、例えば、左ページ側用紙１１Ｌに描画されているガイドマーク６１Ｌ，６２Ｌに注目して、当該ガイドマーク６１Ｌ，６２Ｌが筆記者２Ｒの右肩ＳＲに向くようにノート１０を置けばよい。
【００６５】
なお、「ガイドマーク６１Ｌ，６２Ｌが筆記者２Ｒの右肩ＳＲに向くようにノート１０を置く」ということは、当該ガイドマーク６１Ｌ，６２Ｌを結ぶ線（図示の一点鎖線で示す線Ｋ１）の延長線上に筆記者２Ｒの右肩ＳＲが存在するようにノート１０を置くということである。線ｋ１は罫線に直交する線であるため、以下では、罫線直交線Ｋ１という。
ただし、このようにノート１０を置く操作は、厳密なものではなく、ガイドマーク６１Ｌ，６２Ｌがほぼ右肩ＳＲに向けばよいという程度である。このことは、以下に示す他の実施形態においても同様である。このことは、左利きの筆記者が筆記する場合においても同様のことがいえる。
【００６６】
ところで、ここでは、左ページ側用紙１１Ｌに描画されているガイドマーク６１Ｌ，６２Ｌが筆記者２Ｒの右肩ＳＲに向くようにノート１０を机上に置くようにしたが、ノート１０をこのように机上に置くと、右ページ側用紙１１Ｒに描画されているガイドマーク６１Ｒ，６２Ｒも図３に示すように、筆記者２Ｒの右肩ＳＲに向くようになる。これは、ノート１０の場合においては、罫線のページ境界線１３に対する傾きθ１，θ２を上記したような範囲に設定しているためである。
【００６７】
ノート１０を図３に示すように置くことによって、右利きの筆記者２Ｒが左ページ側用紙１１Ｌの左側筆記領域１４Ｌに筆記する場合においては、当該左側筆記領域１４Ｌの横罫線１２Ｌは筆記者２Ｒにとって書きやすい角度で右上がりとなる。このため、右利きの筆記者２Ｒは、ノート１０を図３の位置に固定したままで、自然な手の動きで横罫線１２Ｌに沿って筆記して行くことができ、右利きの筆記者２Ｒの肘や肩にかかる負担を少なくすることができる。
【００６８】
なお、上記した例においては、左ページ側用紙１１Ｌに描画されているガイドマーク６１Ｌ，６２Ｌに注目して、当該ガイドマーク６１Ｌ，６２Ｌが筆記者２Ｒの右肩ＳＲに向くようにノート１０を机上に置くようにしたが、右ページ側用紙１１Ｒに描画されているガイドマーク６１Ｒ，６２Ｒに注目して、当該ガイドマーク６１Ｒ，６２Ｒが筆記者２Ｒの右肩ＳＲに向くようにノート１０を机上に置くようにしてもよい。
【００６９】
このように、右ージ側用紙１１Ｒに描画されているガイドマーク６１Ｒ，６２Ｒが筆記者２Ｒの右肩ＳＲに向くようにノート１０を机上に置いた場合においても、左ページ側用紙１１Ｌに描画されているガイドマーク６１Ｌ，６２Ｌは筆記者２Ｒの右肩ＳＲに向くようになる。
【００７０】
また、図３においては、右側筆記領域１４Ｒの横罫線１２Ｒは、机４の正面側の端辺４ａと平行となり、横罫線１２Ｒに傾きが形成されないが、右利きの筆記者２Ｒが横罫線１２Ｒに沿って筆記する場合には、右側筆記領域１４Ｒの横罫線１２Ｒに傾きがなくても、肘や肩に負担がかかることなく筆記することができる。
【００７１】
図４は、実施形態１に係る筆記用紙（ノート１０）に左利きの筆記者２Ｌが筆記する場合の筆記者２Ｌとノート１０の位置関係を説明するために示す図である。左利きの筆記者２Ｌがノート１０に筆記する場合においては、左利きの筆記者２Ｌに対してノート１０を図４のように置くと、当該筆記者２Ｌにとって書きやすいものとなる。
【００７２】
すなわち、図４に示すように、左利きの筆記者２Ｌが机４の前に座った状態で正面を向いたときの当該筆記者２Ｌの視線方向をｙ軸に沿った方向としたとき、ノート１０の左ページ側用紙１１Ｌの上端辺ａ１が視線方向に直交する方向（ｘ軸に沿った方向）に置くことが当該筆記者２Ｌにとって書きやすい位置となる。なお、この場合、図４に示すように、ノート１０をｘ軸に沿って適宜左方向に移動させた位置に置くことが好ましい。
【００７３】
ノート１０を机上において図４に示すように置くことにより、左利きの筆記者２Ｌは、自然な手の動きで右ページ側用紙１１Ｒの横罫線１２Ｒに沿って筆記して行くことができる。
【００７４】
ノート１０を机上に図４に示すように置くには、左ページ側用紙１１Ｌに描画されているガイドマーク６１Ｌ，６２Ｌ及び右ページ側用紙１１Ｒに描画されているガイドマーク６１Ｒ，６２Ｒのうち、例えば、右ページ側用紙１１Ｒに描画されているガイドマーク６１Ｒ，６２Ｒに注目して、当該ガイドマーク６１Ｒ，６２Ｒが筆記者２Ｌの左肩ＳＬに向くようにノート１０を置けばよい。
【００７５】
ここで、「ガイドマーク６１Ｒ，６２Ｒが筆記者２Ｌの左肩ＳＬに向くようにノート１０を置く」ということは、当該ガイドマーク６１Ｒ，６２Ｒを結ぶ線（図示の一点鎖線で示す線Ｋ２）の延長線上に筆記者２Ｌの左肩ＳＬが存在するようにノート１０を置くということである。線Ｋ２は罫線に直交する線であるため、以下では、罫線直交線Ｋ２という。
【００７６】
ところで、ここでは、右ページ側用紙１１Ｒに描画されているガイドマーク６１Ｒ，６２Ｒが筆記者２Ｌの左肩ＳＬに向くようにノート１０を机上に置くようにしたが、ノート１０をこのように机上に置くと、左ページ側用紙１１Ｌに描画されているガイドマーク６１Ｌ，６２Ｌも図４に示すように、筆記者２Ｌの左肩ＳＬに向くようになる。これは、前述したように、ノート１０の場合においては、罫線のページ境界線１３に対する傾きθ１，θ２を上記したような範囲に設定しているためである。
【００７７】
ノート１０を図４に示すように置くことによって、左利きの筆記者２Ｌが右ページ側用紙１１Ｒの右側筆記領域１４Ｒに筆記する場合においては、当該右側筆記領域１４Ｒの横罫線１２Ｒは、筆記者２Ｌにとって書きやすい角度で右下がりとなる。このため、左利きの筆記者２Ｌは、ノート１０を図４の位置に固定したままで、自然な手の動きで右ページ側用紙１１Ｒの横罫線１２Ｒに沿って筆記して行くことができ、左利きの筆記者２Ｌの肘や肩にかかる負担を少なくすることができ、長時間の筆記を行う場合にも疲労を少なくすることができる。
【００７８】
なお、上記した例では、右ページ側用紙１１Ｒに描画されているガイドマーク６１Ｒ，６２Ｒに注目して、当該ガイドマーク６１Ｒ，６２Ｒが筆記者２Ｌの左肩ＳＬに向くようにノート１０を机上に置くようにしたが、左ページ側用紙１１Ｌに描画されているガイドマーク６１Ｌ，６２Ｌに注目して、当該ガイドマーク６１Ｌ，６２Ｌが筆記者２Ｌの左肩ＳＬに向くようにノート１０を机上に置くようにしてもよい。
【００７９】
このように、左ージ側用紙１１Ｌに描画されているガイドマーク６１Ｌ，６２Ｌが筆記者２Ｌの左肩ＳＬに向くようにノート１０を机上に置いた場合においても、右ページ側用紙１１Ｒに描画されているガイドマーク６１Ｒ，６２Ｒは筆記者２Ｌの左肩ＳＬに向くようになる。
【００８０】
また、図４においては、左側筆記領域１４Ｌの横罫線１２Ｌは、机４の正面側の端辺４ａと平行となり、当該横罫線１２Ｌに傾きが形成されないが、左利きの筆記者２Ｌが左ページ側用紙１１Ｌの横罫線１２Ｌに沿って筆記する場合には、横罫線１２Ｌに傾きがなくても、肘や肩に負担がかかることなく筆記することができる。
【００８１】
ところで、実施形態１に係る筆記用紙１０に記載されている記載内容を読む場合には、ガイドマーク６１Ｌ，６２Ｌ及びガイドマーク６１Ｒ，６２Ｒが読者の目に向くようにノート１０を机上に置くと読みやすくなる。
【００８２】
図５は、実施形態１に係る筆記用紙１０に記載されている記載内容を読む場合を説明するための図である。なお、読者は筆記者２Ｒ又は筆記者２Ｌに限られるものではないが、便宜的に、筆記者２Ｒが読者であるとして説明する。このため、読者に「２Ｒ」の符号を付して読者２Ｒとする。なお、図５において、図３及び図４と同一部分には同一符号が付されているが、説明に不要な符号は省略されている。
【００８３】
実施形態１に係る筆記用紙１０（ノート１０）に記載されている記載内容を読者２Ｒが読む場合には、図５に示すように、ノート１０のページ境界線１３が読者２Ｒの左目ＥＬと右目ＥＲとの間の中央部に一致するようにノート１０を机上に置き、かつ、ページ境界線１３がｙ軸に沿った方向となるように机上に置くことが読みやすいものとなる。
【００８４】
このように、ノート１０を机上に置くには、左ページ側用紙１１Ｌに描画されているガイドマーク６１Ｌ，６２Ｌが、読者２Ｒの左目ＥＬに向き、右ページ側用紙１１Ｒのガイドマーク６１Ｌ，６２Ｌが読者２Ｒの右目ＥＲに向くように、ノート１０を机上に置けばよい。このように、ノート１０を机上に置くことにより、読者２Ｒは、横罫線１２Ｌ，１２Ｒに沿って記載されている記載内容を自然な目の動きで追うことができ、円滑に読み進むことができる。なお、この場合もガイドマーク６１Ｌ，６２Ｌ及びガイドマーク６１Ｒ，６２Ｒの向きは厳密ではなく、読者の左目ＥＬ及び右目ＥＲにほぼ向いていればよいという程度でよい。
【００８５】
なお、実施形態１に係る筆記用紙１０としては、図１に示すようなノートを用いた場合を例示したが、このようなノートに限られるものではなく、様々な種類のノート、さらにはノート以外の筆記用紙を用いることができる。以下に、実施形態１に係る筆記用紙１０の変形例について説明する。
【００８６】
［実施形態１に係る筆記用紙１０の第１変形例］
図６は、実施形態１に係る筆記用紙１０の第１変形例を説明するために示す図である。第１変形例の筆記用紙は、図６に示すように、スパイラルノートと呼ばれているノートであり、以下では、スパイラルノート１０Ａという。なお、図６はスパイラルノート１０Ａを見開きの状態とした場合を示す図であり、図６において、図１と同一部分には同一符号が付されている。また、図６における角度θ１、θ２、θ３及びθ４は、図１と同様に設定されているものとする。
【００８７】
スパイラルノート１０Ａは、見開きの状態としたときの左ページ側用紙１１Ｌ及び右ページ側用紙１１Ｒが、それぞれが切り離された状態となっていて、左ページ側用紙１１Ｌ及び右ページ側用紙１１Ｒが螺旋状の綴じ具２１によって綴じられた構成となっている。
【００８８】
また、スパイラルノート１０Ａの左ページ側用紙１１Ｌ及び右ページ側用紙１１Ｒは、図１に示した実施形態１に係る筆記用紙１０（ノート１０）の左ページ側用紙１１Ｌ及び右ページ側用紙１１Ｒと同様の形状をなしており、図６において図１と同一部分には同一符号が付されている。また、図６における角度θ１、θ２、θ３及びθ４は、図１と同様に設定されているものとする。
【００８９】
このような構成を有するスパイラルノート１０Ａにおいても、実施形態１に係る筆記用紙１０（ノート１０）と同様のガイドマーク（ガイドマーク６１Ｌ，６２Ｌ及びガイドマーク６１Ｒ，６２Ｒ）を描画しておくことが可能であり、このようなガイドマークを左ページ側用紙１１Ｌ及び右ページ側用紙１１Ｒに描画しておくことにより、実施形態１に係る筆記用紙１０と同様の効果が得られる。
【００９０】
［実施形態１に係る筆記用紙１０の第２変形例］
図７は、実施形態１に係る筆記用紙１０の第２変形例を説明するために示す図である。第２変形例の筆記用紙は、図７に示すように、バインダー付きノートであり、バインダー付ノート１０Ｂという。なお、図７はバインダー付ノート１０Ｂを見開きの状態とした場合を示す図であり、図７において、図１と同一部分には同一符号が付されている。また、図７における角度θ１、θ２、θ３及びθ４は、図１と同様に設定されているものとする。
【００９１】
バインダー付ノート１０Ｂは、見開きの状態としたときの左ページ側用紙１１Ｌ及び右ページ側用紙１１Ｒがバインダー部２２に設けられている開閉自在綴じ具２４によって綴じられているものである。
【００９２】
このような構成を有するバインダー付ノート１０Ｂにおいても、実施形態１に係る筆記用紙１０（ノート１０）と同様のガイドマーク（ガイドマーク６１Ｌ，６２Ｌ及びガイドマーク６１Ｒ，６２Ｒ）を描画しておくことが可能であり、このようなガイドマークを左ページ側用紙１１Ｌ及び右ページ側用紙１１Ｒに描画しておくことにより、実施形態１に係る筆記用紙１０と同様の効果が得られる。
【００９３】
［実施形態１に係る筆記用紙１０の第３変形例］
図８は、実施形態１に係る筆記用紙１０の第３変形例を説明するために示す図である。第３変形例の筆記用紙は、図８に示すように、ノートとは異なり、左ページ側用紙１１Ｌの左側筆記領域１４Ｌ及び右ページ側用紙１１Ｒの右側筆記領域１４Ｒには、それぞれ横罫線のみではなく、升目部や空白部なども含まれているものであり、この種の筆記用紙１０Ｃとしては、例えば、医師が診察結果を記入するための「カルテ」などを例示することができる。
【００９４】
なお、図８は第３変形例の筆記用紙（筆記用紙１０Ｃという。）を見開きの状態とした場合を示す図であり、図８において、図１と同一部分には同一符号が付されている。また、図８における角度θ１、θ２、θ３及びθ４は、図１と同様に設定されているものとする。
【００９５】
このような構成を有する筆記用紙１０Ｃにおいても、実施形態１に係る筆記用紙１０と同様のガイドマーク（ガイドマーク６１Ｌ，６２Ｌ及びガイドマーク６１Ｒ，６２Ｒ）を描画しておくことが可能であり、このようなガイドマークを左ページ側用紙１１Ｌ及び右ページ側用紙１１Ｒに描画しておくことにより、実施形態１に係る筆記用紙１０と同様の効果が得られる。
【００９６】
［実施形態２］
図９は、実施形態２に係る筆記用紙２０を説明するために示す図である。図９は実施形態２に係る筆記用紙２０を見開きの状態とした場合を示す図である。なお、図９において、図１と同一部分には同一符号が付されている。実施形態２に係る筆記用紙２０はノートであり、以下、ノート２０ともいう。
【００９７】
ノート２０は、図９に示すように、外観形状が矩形の一般的なノートであるが、見開きとしたときの、左側筆記領域１４Ｌの横罫線１２Ｌはページ境界線１３から斜め左下がりとなるように設けられ、右側筆記領域１４Ｒの横罫線１２Ｒはページ境界線１３から斜め右下がりとなるように設けられている。なお、図９における角度θ１及びθ２は、図１と同様に設定されているものとする。
【００９８】
また、ノート２０においては、実施形態１に係る筆記用紙１０と同様に、左ページ側用紙１１Ｌの上欄外５１Ｌ及び下欄外５２Ｌには、横罫線１２Ｌに直交する方向に沿って、ノート２０の下方向側を指し示すガイドマーク６１Ｌ，６２Ｌが描画されている。また、右ページ側用紙１１Ｒにおいても、右ページ側用紙１１Ｒの上欄外５１Ｒ及び下欄外５２Ｒには、横罫線１２Ｒに直交する方向に沿って、ノート１０の下方向側を指し示すガイドマーク６１Ｒ，６２Ｒが描画されている。
【００９９】
このような構成を有するノート２０においても、実施形態１に係る筆記用紙１０と同様の効果が得られる。
【０１００】
ところで、図９に示すノート２０においては、左右それぞれのページ側用紙１１Ｌ，１１Ｒの上欄外５１Ｌ，５１Ｒに描画されているガイドマーク６１Ｌ，６１Ｒは、それぞれのページ側用紙１１Ｌ，１１Ｒにおける左右方向の中央部に描画されているが、それぞれの下欄外５２Ｌ，５２Ｒに描画されているガイドマーク６２Ｌ，６２Ｒは、左右それぞれのページ側用紙１１Ｌ，１１Ｒにおける左右方向の中央部から少し外れた位置に描画されている。
【０１０１】
これは、図９に示すノート２０は、外観形状が矩形の一般的なノートであって、罫線のみがページ境界線１３に対して傾斜しているノートであり、また、このようなノートにおいて、上欄外５１Ｌ，５１Ｒのガイドマーク６１Ｌ，６１Ｒと下欄外５２Ｌ，５２Ｒのガイドマーク６２Ｌ，６２Ｒとをそれぞれ同じ罫線直交線Ｋ１，Ｋ２上に描画させているからである。
【０１０２】
なお、下欄外５２Ｌ，５２Ｒに描画されているガイドマーク６２Ｌ，６２Ｒは、図９に示すような位置に描画させなくてもよく、上欄外５１Ｌ，５１Ｒのガイドマーク６１Ｌ，６１Ｒと同様に、左右それぞれのページ側用紙１１Ｌ，１１Ｒにおいて左右方向の中央部としてもよい。
【０１０３】
このように、ガイドマーク６２Ｌ，６２Ｒをページ側用紙１１Ｌ，１１Ｒにおいて左右方向の中央部に描画させた場合も、当該ガイドマーク６２Ｌ，６２Ｒは、横罫線１２Ｌに直交する方向に沿って、ノート２０の下方向側を指し示すように描画されるが、この場合は、左ページ側用紙１１Ｌにおける上欄外５１Ｌのガイドマーク６１Ｌと下欄外５２Ｌのガイドマーク６２Ｌとは、当該左ページ側用紙１１Ｌにおいてそれぞれ異なった罫線直交線上に描画される。同様に、右ページ側用紙１１Ｒにおける上欄外５１Ｒのガイドマーク６１Ｒと下欄外５２Ｒのガイドマーク６２Ｒとは、当該右ページ側用紙１１Ｒにおいてそれぞれ異なった罫線直交線上に描画される。
【０１０４】
［実施形態３］
上記実施形態１に係る筆記用紙１０及び実施形態１に係る筆記用紙２０は、筆記用紙として、ページ境界線１３に対して所定角度だけ傾斜した横罫線１２Ｌ，１２Ｒを有する筆記用紙を用いた場合を例示したが、このような筆記用紙ではなく、ページ境界線１３に対して直交する横罫線１２Ｌ，１２Ｒを有する筆記用紙を用いてもよい。
【０１０５】
図１０は、実施形態３に係る筆記用紙３０を説明するために示す図である。図１０（ａ）は、実施形態３に係る筆記用紙３０を閉じた状態とした場合を示す図であり、図１０（ｂ）は筆記用紙３０を見開きの状態とした場合を示す図である。実施形態３に係る筆記用紙３０は、従来から一般的に用いられているノートであり、以下では、ノート３０ともいう。また。図１０において、図１と同一構成要素には同一符号が付されている。
【０１０６】
ノート３０は、図１０に示すように、左ページ側用紙１１Ｌ及び右ページ側用紙１１Ｒはそれぞれ矩形をなし、左ページ側用紙１１Ｌにおける左側筆記領域１４Ｌの横罫線１２Ｌ及び右ページ側用紙１１Ｒにおける右側筆記領域１４Ｒの横罫線１２Ｒは、ページ境界線１３に直交するように設けられている。なお、左ページ側用紙１１Ｌ及び右ページ側用紙１１Ｒはそれぞれ矩形であるため、左ページ側用紙１１Ｌ及び右ページ側用紙１１Ｒの上端辺ａ１，ａ２の長さＬａと下端辺ｂ１，ｂ２の長さＬｂは、Ｌａ＝Ｌｂとなっている。
【０１０７】
このようなノート３０においても、図１に示すノート１０と同様に、左ページ側用紙１１Ｌにはガイドマーク６１Ｌ，６２Ｌが描画されており、右ページ側用紙１１Ｒにはガイドマーク６１Ｒ，６２Ｒが描画されている。
【０１０８】
図１１は、実施形態３に係る筆記用紙３０に右利きの筆記者２Ｒが筆記する場合の筆記者２Ｒと筆記用紙３０の位置関係を説明するために示す図である。
【０１０９】
右利きの筆記者２Ｒが左側筆記領域１４Ｌに筆記する場合は、図１１に示すように、左ページ側用紙１１Ｌに設けられているガイドマーク６１Ｌ，６２Ｌが筆記者２Ｒの右肩ＳＲに向くようにノート３０を机上に置けばよい。なお、この場合も、筆記用紙３０をｘ軸に沿って適宜右方向に移動させた位置に置くことが好ましい。
【０１１０】
ノート３０を図１１に示すように置くことによって、右利きの筆記者２Ｒが左側筆記領域１４Ｌに筆記する場合においては、当該左側筆記領域１４Ｌの横罫線１２Ｌは右上がりとなり、右利きの筆記者２Ｒは、自然な手の動きで横罫線１２Ｌに沿って筆記して行くことができる。このため、右利きの筆記者２Ｒの肘や肩にかかる負担を少なくすることができ、長時間の筆記を行う場合にも疲労を少なくすることができる。
【０１１１】
なお、右利きの筆記者２Ｒが右側筆記領域１４Ｒの横罫線１２Ｒに沿って筆記する場合には、図示は省略するが、右ページ側用紙１１Ｒに描画されているガイドマーク６１Ｒ，６２Ｒが当該筆記者２Ｒの右肩ＳＲに向くようにノート３０を置けばよい。くようにしてもよいし、右側筆記領域１４Ｒが図１１における左側筆記領域１４Ｌの位置となるように、ノート３０をそのまま斜め左下にずらすようにしてもよい。
【０１１２】
ノート３０をこのように置くと、ノート３０の右ページ側の上端辺ａ２及び下端辺ｂ２は机４の辺と平行となり、右側筆記領域１４Ｒの横罫線１２Ｒに傾きが形成されないが、右利きの筆記者２Ｒが右側筆記領域１４Ｒの横罫線１２Ｒに沿って筆記する場合には、横罫線１２Ｒに傾きがなくても、肘や肩に負担がかかることなく筆記することができる。
【０１１３】
なお、右利きの筆記者２Ｒが右側筆記領域１４Ｒに筆記する場合、上記のように、右ページ側用紙１１Ｒに描画されているガイドマーク６１Ｒ，６２Ｒが当該筆記者２Ｒの右肩ＳＲに向くようにノート３０を置くようにしてもよいが、右側筆記領域１４Ｒが図１１における左側筆記領域１４Ｌの位置となるように、ノート３０をそのまま斜め左下にずらすようにしてもよい。
【０１１４】
図１２は、実施形態３に係る筆記用紙３０に左利きの筆記者２Ｌが筆記する場合の筆記者と筆記用紙３０の位置関係を説明するために示す図である
【０１１５】
左利きの筆記者２Ｌが右側筆記領域１４Ｒに筆記する場合は、図１２に示すように、右ページ側用紙１１Ｒに描画されているガイドマーク６１Ｒ，６２Ｒが当該筆記者２Ｌの左肩ＳＬに向くようにノート３０を机上に置けばよい。なお、この場合、筆記用紙３０をｘ軸に沿って適宜左方向に移動させた位置に置くことが好ましい。
【０１１６】
ノート３０を図１２に示すように置くことによって、左利きの筆記者２Ｌが右側筆記領域１４Ｒに筆記する場合においては、右側筆記領域１４Ｒの横罫線１２Ｒは右下がりとなり、左利きの筆記者２Ｌは、自然な手の動きで横罫線１２Ｒに沿って筆記して行くことができる。このため、左利きの筆記者２Ｌの肘や肩にかかる負担を少なくすることができ、長時間の筆記を行う場合にも疲労を少なくすることができる。
【０１１７】
なお、左利きの筆記者２Ｌが左側筆記領域１４Ｌの横罫線１２Ｌに沿って筆記する場合には、図示は省略するが、左ページ側用紙１１Ｌに描画されているガイドマーク６１Ｒ，６２Ｒが当該筆記者２Ｌの左肩ＳＬに向くようにノート３０を置けばよい。
【０１１８】
ノート３０をこのように置くと、ノート３０の左ページ側の上端辺ａ１及び下端辺ｂ１は机４の辺と平行となり、左側筆記領域１４Ｌの横罫線１２Ｌに傾きが形成されないが、左利きの筆記者２Ｌが左側筆記領域１４Ｌの横罫線１２Ｌに沿って筆記する場合には、横罫線１２Ｌに傾きがなくても、肘や肩に負担がかかることなく筆記することができる。
【０１１９】
なお、左利きの筆記者２Ｌが左筆記領域１４Ｌに筆記する場合、上記のように、左ページ側用紙１１Ｌに描画されているガイドマーク６１Ｌ，６２Ｌが当該筆記者２Ｌの左肩ＳＬに向くようにノート３０を置くようにしてもよいが、左側筆記領域１４Ｌが図１２における右側筆記領域１４Ｒの位置となるように、ノート３０をそのまま斜め右下にずらすようにしてもよい。
【０１２０】
ところで、ノート３０は筆記者によっては、ノート３０を机上で傾けることなく、単に、左右方向（ｘ軸に沿った方向）にずらして筆記する場合もある。
【０１２１】
図１３は、実施形態３に係る筆記用紙３０において筆記用紙３０（ノート３０）を左右方向にずらして筆記する場合を説明するために示す図である。図１３において、図１１及び図１２と同一構成要素には同一符号が付されている。図１３（ａ）は右利きの筆記者がノート３０の左側筆記領域１４Ｌに筆記する場合を示す図であり、図１３（ｂ）は左利きの筆記者２Ｌがノート３０の右側筆記領域１４Ｒに筆記する場合を示す図である。
【０１２２】
右利きの筆記者２Ｒがノート３０の左側筆記領域１４Ｌに筆記する場合は、図１３（ａ）に示すように、ノート３０をｘ軸に沿って右方向に所定量だけずらした状態とする。このとき、左ページ側用紙１１Ｌのガイドマーク６１Ｌ，６２Ｌが当該筆記者２Ｒの右肩ＳＲに向くようにノート３０をずらせばよい。ノート３０を机上に図１３（ａ）に示すように置くことによっても、右利きの筆記者２Ｒは、自然な手の動きで横罫線１２Ｌに沿って筆記して行くことができる。
【０１２３】
なお、右利きの筆記者２Ｒがノート３０の右側筆記領域１４Ｒに筆記する場合は、図示は省略するが、右ページ側用紙１１Ｒのガイドマーク６１Ｒ，６２Ｒが当該筆記者２Ｒの右肩ＳＲに向くようにノート３０をずらせばよい。
【０１２４】
一方、左利きの筆記者２Ｌがノート３０の右側筆記領域１４Ｒに筆記する場合は、図１３（ｂ）に示すように、ノート３０をｘ軸に沿って左方向に所定量だけずらした状態とする。このとき、右ページ側用紙１１Ｒのガイドマーク６１Ｒ，６２Ｒが当該筆記者２Ｌの左肩ＳＬに向くようにノート３０をずらせばよい。ノート３０を机上に図１３（ｂ）に示すように置くことによっても、左利きの筆記者２Ｌは、自然な手の動きで横罫線１２Ｌに沿って筆記して行くことができる。
【０１２５】
なお、左利きの筆記者２Ｌがノート３０の左側筆記領域１４Ｌに筆記する場合は、図示は省略するが、左ページ側用紙１１Ｌのガイドマーク６１Ｌ，６２Ｌが当該筆記者２Ｌの左肩ＳＬに向くようにノート３０をずらせばよい。
【０１２６】
［実施形態４］
図１４は、実施形態４に係る筆記用紙４０を説明するために示す図である。実施形態４に係る筆記用紙４０は、実施形態１に係る筆記用紙１０（ノート１０）と同じ構成を有するノートであるとし、図１と同一構成要素には同一符号が付されている。
【０１２７】
実施形態４に係る筆記用紙４０（ノート４０ともいう。）は、図１４に示すように、ガイドマークを上欄外及び下欄外の中央部ではなく、４隅に描画したものである。すなわち、左ページ側用紙１１Ｌにおいては、ガイドマーク６１Ｌ，６２Ｌ，６３Ｌ，６４Ｌを当該左ページ側用紙１１Ｌの４隅に描画し、右ページ側用紙１１Ｒにおいては、ガイドマーク６１Ｒ，６２Ｒ，６３Ｒ，６４Ｒを当該右ページ側用紙１１Ｒの４隅に描画している。
【０１２８】
なお、左ページ側用紙においては、ガイドマーク６１Ｌ，６２Ｌ，６３Ｌ，６４Ｌのうちの、ガイドマーク６１Ｌ，６２Ｌは、当該左ページ側用紙１１Ｌの左隅に描画され、ガイドマーク６３Ｌ，６４Ｌは、当該左ページ側用紙１１Ｌの右隅に描画されている。一方、右ページ側用紙１１Ｒにおいては、ガイドマーク６１Ｒ，６２Ｒ，６３Ｒ，６４Ｒのうちの、ガイドマーク６１Ｒ，６２Ｒは、当該右ページ側用紙１１Ｒの左隅に描画され、ガイドマーク６３Ｒ，６４Ｒは、当該右ページ側用紙１１Ｒの右隅に描画されている。
【０１２９】
このようなノート４０において、右利きの筆記者２Ｒが左側筆記領域１４Ｌに筆記する場合には、例えば、左ページ側用紙１１Ｌの左隅に描画されているガイドマーク６１Ｌ，６２Ｌ及び右隅に描画されているガイドマーク６３Ｌ，６４Ｌのうち、例えば、左隅に描画されているガイドマーク６１Ｌ，６２Ｌに注目して、当該左隅に描画されているガイドマーク６１Ｌ，６２Ｌが右利きの筆記者２Ｒの右肩ＳＲに向くようにノート４０を机上に置けばよい。
【０１３０】
ノート４０をこのように置くことにより、当該筆記者２Ｒは、肘又は肩を中心にして自然な手の動きで左側筆記領域１４Ｌの横罫線１２Ｌに沿って筆記して行くことができる。なお、左ページ側用紙１１Ｌの左隅に描画されているガイドマーク６１Ｌ，６２Ｌ及び右隅に描画されているガイドマーク６３Ｌ，６４Ｌのどちらの側のガイドマークに注目するかは、各々の筆記者によって任意に選べばよい。
【０１３１】
一方、このようなノート４０において、左利きの筆記者２Ｌが例えば右側筆記領域１４Ｒに筆記する場合には、例えば、右ページ側用紙１１Ｒの左隅に描画されているガイドマーク６１Ｒ，６２Ｒ及び右隅に描画されているガイドマーク６３Ｒ，６４Ｒのうち、例えば、右隅に描画されているガイドマーク６３Ｒ，６４Ｒに注目して、当該右隅に描画されているガイドマーク６３Ｒ，６４Ｒが左利きの筆記者２Ｌの左肩ＳＬに向くようにノート４０を机上に置けばよい。
【０１３２】
ノート４０をこのように置くことにより、当該筆記者２Ｌは、肘又は肩を中心にして自然な手の動きで右側筆記領域１４Ｒの横罫線１２Ｒに沿って筆記して行くことができる。なお、右ページ側用紙１１Ｒの左隅に描画されているガイドマーク６１Ｒ，６２Ｒ及び右隅に描画されているガイドマーク６３Ｒ，６４Ｒのどちらの側のガイドマークに注目するかは、各々の筆記者によって任意に選べばよい。
【０１３３】
なお、本考案は上記各実施形態に限られるものではなく、本考案の要旨を逸脱しない範囲で種々変形実施可能となるものである。たとえば、下記に示すような変形実施も可能である。
【０１３４】
（１）上記実施形態１〜３においては、ガイドマーク６１Ｌ，６２Ｌは左ページ側用紙１１Ｌにおける左右方向における中央部に描画し、ガイドマーク６１Ｒ，６２Ｒは右ページ側用紙１１Ｒにおける左右方向における中央部に描画するようにしたが、中央部より左右方向に多少ずれた位置であってもよい。
【０１３５】
（２）上記各実施形態においては、左ページ側用紙１１Ｌにおいては上欄外５１Ｌ及び下欄外５２Ｌのそれぞれにガイドマーク６１Ｌ，６２Ｌを描画し、右ページ側用紙１１Ｒにおいては上欄外５１Ｒ及び下欄外５２Ｒのそれぞれにガイドマーク６１Ｒ，６２Ｒを描画するようにしたが、それぞれのページ側用紙において、ガイドマークは上欄外５１Ｌ，５１Ｒのみに描画するようしてもよく、また、下欄外５２Ｌ，５２Ｒのみに描画するようにしてもよい。
【０１３６】
（３）上記各実施形態においては、筆記用紙をそれぞれ見開きの状態としたとき、左ページ側用紙１１Ｌ及び右ページ側用紙１１Ｒの両方に横罫線が設けられている場合を例示したが、必ずしも左ページ側用紙１１Ｌ及び右ページ側用紙１１Ｒの両方に横罫線が設けられている必要はない。例えば、左ページ側用紙のみに横罫線が設けられていて、右ページ側用紙は空白部となっているものであってもよく、また、それとは逆に、右ページ側用紙のみに横罫線が設けられていて、左ページ側用紙は空白部となっているものであってもよい。
【０１３７】
（４）上記各実施形態において、ガイドマークを筆記者の肩の方向に向けることを示唆するために、ガイドマークとともに例えば「Ｓｈｏｕｌｄｅｒ」、「肩」などの文字を描画するようにしてもよい。
【０１３８】
図１５は、ガイドマークとともに「Ｓｈｏｕｌｄｅｒ」を描画した場合を示す図である。なお、図１５は図２に対応する図であり、図１に示すノート１０の破線枠Ａ１，Ａ２で囲まれている領域を拡大して示す図である。図１５に示すように、ガイドマークとともに「Ｓｈｏｕｌｄｅｒ」を描画しておくことにより、筆記者は、直感的にガイドマークを自分の肩の方向に向けるようになり、それに伴って、罫線の傾きが書きやすい角度に設定される。なお、図１５においては、左ページ側用紙１１Ｌについて示しているが、右ページ側用紙１１Ｒに描画されているガイドマークについても同様である。
【０１３９】
（５）上記各実施形態においては、ガイドマークとしては矢印を用いた場合を例示したが矢印に限られるものではない。また、ガイドマークとして矢印を用いた場合であっても、様々な種類の矢印を用いることができる。
【０１４０】
図１６は、ガイドマークの種類を説明するために示す図である。図１６（ａ）〜（ｊ）はガイドマークの様々な種類を例示する図である。図１６（ａ）〜（ｊ）に示すような様々な種類のガイドマークを上記各実施形態に係る筆記用紙に描画することによっても、各実施形態と同様の効果を得ることができる。図１６（ａ）〜（ｊ）に示すガイドマークは一例であって、これらに限られるものでない。また、各ガイドマークは、塗り潰しで表したものであってもよく、輪郭線のみで表したものであってもよい。
【０１４１】
（６）上記各実施形態においては、ガイドマークを欄外に描画する場合を例示したが、筆記領域内に描画するようにしてもよい。
【０１４２】
図１７は、ガイドマークを筆記領域内に描画する場合を説明するために示す図である。図１７においては、図１に示すノート１０の左側筆記領域１４Ｌ及び右側筆記領域１４Ｒのそれぞれにガイドマーク６１Ｌ，６１Ｒを描画した場合を例示している。このように、左側筆記領域１４Ｌ及び右側筆記領域１４Ｒ内にガイドマーク６１Ｌ，６１Ｒを描画する場合は、筆記者が筆記した筆記内容を邪魔しないように描画しておくことが好ましい。例えば、ガイドマークを輪郭線で示す矢印とする場合には破線又は一点鎖線などで描画し、ガイドマークを塗り潰しの矢印とする場合には、ごく薄いグレーなどとする。図１７においては、ガイドマークを矢印とした場合を例示したが、この場合も図１６に示すような様々なガイドマークを用いることができる。
【０１４３】
（７）上記各実施形態では、筆記用紙として、ノート（一般的なノート）、スパイラルノート、バインダー付きノートおよびカルテなどを例示したが、これに限られるものではなく、横書き用として用いる筆記用紙であれば本考案を適用することができる。
【符号の説明】
【０１４４】
２Ｌ・・・左利きの筆記者、２Ｒ・・・右利きの筆記者、１０，２０，３０，４０・・・筆記用紙、１１Ｌ・・・左ページ側用紙、１１Ｒ・・・右ページ側用紙、１２Ｌ，１２Ｒ・・・横罫線、１３…ページ境界線、１４Ｌ・・・左側筆記領域、１４Ｒ・・・右側筆記領域、５１Ｌ，５１Ｒ・・・上欄外、５２Ｌ，５２Ｒ・・・下欄外、６１Ｌ，６２Ｌ，６３Ｌ，６４Ｌ，６１Ｒ，６２Ｒ，６３Ｒ，６３Ｒ・・・ガイドマーク、ａ１，ａ２・・・上端辺、ｂ１，ｂ２・・・下端辺、ｃ１・・・左側横端辺、ｃ２・・・右側横端辺、ＳＬ・・・左肩、ＳＲ・・・右肩
【図１】
0003172335.tif 000003
【図２】
0003172335.tif 000004
【図３】
0003172335.tif 000005
【図４】
0003172335.tif 000006
【図５】
0003172335.tif 000007
【図６】
0003172335.tif 000008
【図７】
0003172335.tif 000009
【図８】
0003172335.tif 000010
【図９】
0003172335.tif 000011
【図１０】
0003172335.tif 000012
【図１１】
0003172335.tif 000013
【図１２】
0003172335.tif 000014
【図１３】
0003172335.tif 000015
【図１４】
0003172335.tif 000016
【図１５】
0003172335.tif 000017
【図１６】
0003172335.tif 000018
【図１８】
0003172335.tif 000019
【図１９】
0003172335.tif 000020
【図１７】
0003172335.tif 000021